(57)【要約】【課題】  ナースコール親機を複数備えた構成において、看護用カメラから撮像映像の送信を受けたナースコール親機だけでなく、他のナースコール親機からでもその録画映像を容易に確認できるナースコールシステムを提供する。【解決手段】  複数の親機３を備えて、個々の親機３が病室に設置された看護用カメラ６の撮像映像を保存する第１保存部３３及び第２保存部３４を有し、親機３は看護用カメラ６から送信された映像をディスプレイ３２に表示すると同時に第１保存部３３に保存し、制御機４は、第１保存部３３に保存された映像を通話終了に合わせて拡散保存制御し、全ての親機３の第２保存部３４に保存させる。【選択図】  図１
2015070384.tif 000002
【特許請求の範囲】
【請求項１】
患者が看護師を呼び出すためにベッド毎に設置されたナースコール子機と、前記ナースコール子機からの呼出発生を報知すると共に呼出信号を中継する廊下灯と、患者からの呼び出しに看護師が応答するためにナースステーションに設置されたナースコール親機と、患者を撮像するために病室内に設置された看護用カメラと、機器間の通信を制御する制御機とを有し、前記ナースコール親機が前記看護用カメラの撮像映像を表示するディスプレイを備えたナースコールシステムであって、
前記ナースコール親機を複数備えて、個々のナースコール親機が前記看護用カメラの撮像映像を保存する映像保存部を有し、
前記制御機は、任意の前記ナースコール親機に送信されて保存された前記看護用カメラの撮像映像を、他のナースコール親機の前記映像保存部にも拡散させて保存させる映像保存制御部を有し、全ての前記ナースコール親機で共通する映像が保存されることを特徴とするナースコールシステム。
【請求項２】
前記映像保存部は、第１保存部と、前記第１保存部より容量の大きな第２保存部とを有し、
前記ナースコール親機は、前記看護用カメラから送信された映像を前記ディスプレイに表示すると同時に前記第１保存部に保存し、
前記映像保存制御部は、前記第１保存部に保存された映像の前記拡散保存制御を、前記ディスプレイへの表示終了に合わせて実施し、その際前記第２保存部に保存することを特徴とする請求項１記載のナースコールシステム。
【請求項３】
前記映像保存制御部は、拡散保存が完了したら前記第１保存部の元映像を消去することを特徴とする請求項２記載のナースコールシステム。
【請求項４】
前記ナースコール親機は、通話機能を備えた第１親機と、患者情報の入力／変更を行うためのパーソナルコンピュータから成る第２親機とから成り、
前記第１保存部を前記第１親機に設け、前記第２保存部を前記第２親機に設けて成ることを特徴とする請求項２又は３記載のナースコールシステム。
【請求項５】
前記ナースコール子機の呼出ボタンは、患者が呼出操作するナースコールボタンと、看護師が呼出操作するスタッフコールボタンとで構成されると共に、患者管理データが蓄積されているナースコールサーバが接続されて成り、
前記映像保存制御部は、前記ナースコールボタン操作による映像を前記第２保存部に保存する一方、前記スタッフコールボタン操作による映像は前記ナースコールサーバに保存することを特徴とする請求項２乃至４の何れかに記載のナースコールシステム。
【発明の詳細な説明】
【技術分野】
【０００１】
本発明はナースコールシステムに関し、特に病室に備えた看護用カメラの撮像映像をナースコール親機で表示した際に、その映像を保存する技術の改良に関する。
【背景技術】
【０００２】
患者からの呼び出しが発生したら、病室に設置した看護用カメラが起動して映像をナースコール親機に送信し、看護師が患者映像を見ながら呼び出しに応答できるナースコールシステムがある。例えば、特許文献１では、ナースコール親機において患者映像を見ながら看護師は患者と通話できるし、ナースコール親機においてその映像が保存された。
【先行技術文献】
【特許文献】
【０００３】
【特許文献１】特開２００５−１５１５４０号公報
【発明の概要】
【発明が解決しようとする課題】
【０００４】
上記特許文献１のナースコールシステムは、ナースコール親機に表示された映像の録画は、映像を表示しているナースコール親機において行われた。また、一部の映像はサーバへの保存を可能としているが、あくまでも一部の映像であり、基本は映像を受信したナースコール親機での保存である。
そのため、ナースコールシステムが複数のナースコール親機を備えている場合、映像を受信したナースコール親機以外のナースコール親機からその録画映像を見ることができなかった。また、可能であったとしても操作が複雑であり実用的ではなかった。
一方で、看護師は複数のナースステーションの間を移動する場合が多く、場所を移動することなく、即ちナースコール親機を限定することなく録画された患者映像を確認できるシステムが望まれていた。
【０００５】
そこで、本発明はこのような問題点に鑑み、ナースコール親機を複数備えた構成において、看護用カメラから撮像映像の送信を受けたナースコール親機だけでなく、他のナースコール親機からでもその録画映像を容易に確認できるナースコールシステムを提供することを目的としている。
【課題を解決するための手段】
【０００６】
上記課題を解決する為に、請求項１の発明は、患者が看護師を呼び出すためにベッド毎に設置されたナースコール子機と、ナースコール子機からの呼出発生を報知すると共に呼出信号を中継する廊下灯と、患者からの呼び出しに看護師が応答するためにナースステーションに設置されたナースコール親機と、患者を撮像するために病室内に設置された看護用カメラと、機器間の通信を制御する制御機とを有し、ナースコール親機が看護用カメラの撮像映像を表示するディスプレイを備えたナースコールシステムであって、ナースコール親機を複数備えて、個々のナースコール親機が看護用カメラの撮像映像を保存する映像保存部を有し、制御機は、任意のナースコール親機に送信されて保存された看護用カメラの撮像映像を、他のナースコール親機の映像保存部にも拡散させて保存させる映像保存制御部を有し、全てのナースコール親機で共通する映像が保存されることを特徴とする。
この構成によれば、看護用カメラから送信される映像は１台のナースコール親機に限定されるが、制御機により映像は全てのナースコール親機に拡散されて保存されるため、何れかのナースコール親機に看護用カメラから送信された映像を任意のナースコール親機において確認することができる。しかも、他のナースコール親機にアクセスして表示させる必要が無いため、簡易な操作で映像の確認が可能となる。よって、録画映像の確認をする際、看護用カメラが撮像映像を送信した先のナースコール親機まで赴く必要がなくなり、看護師の負担を軽減できる。
【０００７】
請求項２の発明は、請求項１に記載の構成において、映像保存部は、第１保存部と、第１保存部より容量の大きな第２保存部とを有し、ナースコール親機は、看護用カメラから送信された映像をディスプレイに表示すると同時に第１保存部に保存し、映像保存制御部は、第１保存部に保存された映像の拡散保存制御を、ディスプレイへの表示終了に合わせて、或いは表示終了後の所定のタイミングで実施し、その際第２保存部に保存することを特徴とする。
この構成によれば、看護用カメラが起動中の間は映像を受信しているナースコール親機の第１保存部のみに映像が保存されるので、例えば映像を見ながら看護師が患者と通話している間は伝送路のトラフィックが混雑して通話が不安定になるような事態を防止できる。
【０００８】
請求項３の発明は、請求項２に記載の構成において、映像保存制御部は、拡散保存が完了したら第１保存部の元映像を消去することを特徴とする。
この構成によれば、ナースコール親機の第１保存部は、拡散保存後に映像データが消去されるので、保存容量が小さくてもオーバーフローする事態を防止できる。
【０００９】
請求項４の発明は、請求項２又は３に記載の構成において、ナースコール親機は、通話機能を備えた第１親機と、患者情報の入力／変更を行うためのパーソナルコンピュータから成る第２親機とから成り、第１保存部を第１親機に設け、第２保存部を第２親機に設けて成ることを特徴とする。
この構成によれば、パーソナルコンピュータに分散された映像が保存されるので、通話機能を備えた第１親機の構成を従来のナースコール親機の構成から大きく変更する必要が無く、低コストで実現できる。また、第２親機を直接操作して保存映像の確認ができ、スムーズに見ることができる。
【００１０】
請求項５の発明は、請求項２乃至４の何れかに記載の構成において、ナースコール子機の呼出ボタンは、患者が呼出操作するナースコールボタンと、看護師が呼出操作するスタッフコールボタンとで構成されると共に、患者管理データが蓄積されているナースコールサーバが接続されて成り、映像保存制御部は、ナースコールボタン操作による映像を第２保存部に保存する一方、スタッフコールボタン操作による映像はナースコールサーバに保存することを特徴とする。
この構成によれば、重要度の高いスタッフコールボタン操作による映像はナースコールサーバに保存されるため、間違って消去されるような状況が発生し難いし、ナースコールサーバに対しては消去不可に設定しても良く、重要な映像が消去されてしまう問題を無くすことができ映像の管理がし易い。
【発明の効果】
【００１１】
本発明によれば、看護用カメラから送信される映像は１台のナースコール親機に限定されるが、制御機により映像は全てのナースコール親機に拡散されて保存されるため、何れかのナースコール親機に看護用カメラから送信された映像を任意のナースコール親機において確認することができる。しかも、他のナースコール親機にアクセスして表示させる必要が無いため、簡易な操作で映像の確認が可能となる。よって、録画映像の確認をする際、看護用カメラが撮像映像を送信した先のナースコール親機まで赴く必要がなくなり、看護師の負担を軽減できる。
【図面の簡単な説明】
【００１２】
【図１】本発明に係るナースコールシステムの一例を示す構成図である。
【図２】制御機の要部ブロック図である。
【発明を実施するための形態】
【００１３】
以下、本発明を具体化した実施の形態を、図面を参照して詳細に説明する。図１は本発明に係るナースコールシステムの一例を示す構成図であり、１は患者が看護師を呼び出すためのナースコール子機（以下、単に「子機」と称する。）、２は子機１による呼出発生を報知する廊下灯、３は患者からの呼び出しに応答するためのナースコール親機（以下、単に「親機」と称する。）、４は機器間の通信を制御する制御機、５は患者情報を蓄積するナースコールサーバ（以下、単に「サーバ」と称する。）、６は患者を撮像するために病室内に設置された看護用カメラである。廊下灯２、親機３、サーバ５、看護用カメラ６は、制御機４にＬＡＮ１０を介して接続されている。
【００１４】
子機１はベッド毎に設置されており、呼出握りボタン（ナースコールボタン）１ａと、マイク及びスピーカを備えた通話部１１、及び看護師が呼出操作するスタッフコールボタン１２を備えたプレート子機１ｂとで構成され、伝送線Ｌ１を介して廊下灯２に接続されている。
【００１５】
廊下灯２は、病室毎に病室入り口に設置されており、呼び出しが発生したら点滅動作して報知する通知灯２ａ、病室の患者情報を表示する患者情報表示部２ｂを有し、子機１から送出された呼出信号を中継し、ＬＡＮ１０を介して制御機４に送信する。
【００１６】
親機３は、呼び出しに応答して通話するためのハンドセット３１、患者情報や映像を表示するディスプレイ３２を備えた卓上親機（第１親機）３ａと、パーソナルコンピュータから成りディスプレイ３５を備えて患者情報の入力や表示を行うＰＣ親機（第２親機）３ｂとで構成され、各ナースステーションにそれぞれ１台設置されている。
そして、卓上親機３ａには看護用カメラ６の撮像映像の表示に合わせて映像を一時録画する第１保存部３３が設けられ、ＰＣ親機３ｂには映像を恒久保存する第２保存部３４が設けられている。第１保存部３３は映像を一時的に保存し、後述するよう転送が成されたら消去されるため、比較的小さな録画容量となっている。
【００１７】
図２は制御機４の要部ブロック図を示している。図２に示すように、制御機４は、子機１と看護用カメラ６を関連付けた子機・カメラテーブル記憶部４１、患者と子機１を関連付けた患者・子機テーブル記憶部４２、子機１をグループ分けした子機グループ記憶部４３、制御機４を制御する制御機ＣＰＵ４４、ＬＡＮ１０に接続するための制御機ＩＦ４５等を備えている。
【００１８】
尚、病棟ではナースステーション毎に管理する複数の病室から成るエリアが設定されている。即ち、それぞれの親機３に対して呼出信号を送信する子機１のグループが設定されており、制御機４は子機グループ記憶部４３において親機３毎の管理病室を記憶している。また、患者、子機１、看護用カメラ６はそれぞれＩＤで管理され、ＩＤ情報により関連付けられている。
【００１９】
サーバ５は、ＰＣ親機３ｂの第２保存部３３と同等或いはそれより大きな容量の映像保存部５１を備えている。この映像保存部５１は、スタッフコールボタン１２の操作により親機３で録画された映像が保存され、映像保存部５１に保存された映像データは、親機３の操作では消去不可となるよう設定されている。
【００２０】
このように構成されたナースコールシステムの動作は以下のようである。但し、看護用カメラ６の映像保存動作を中心に説明する。
まず、患者が呼出握りボタン１ａを操作して呼び出しが行われた場合を説明する。呼出握りボタン１ａが操作されると、呼出信号が子機１から廊下灯２を介して制御機４に送信される。この呼出信号を受信した制御機４は、制御機ＣＰＵ４４が呼出先に設定されている親機３を子機グループ記憶部４３から読み取って呼出信号を送信する。同時に、呼出信号に含まれる子機ＩＤ情報を基に、子機・カメラテーブル記憶部４１を参照して呼出操作された子機１に関連付けられている看護用カメラ６を特定し、即ち患者近傍に設置された看護用カメラ６を特定して起動し、撮像映像を入手する。こうして入手した映像データは、呼出先の親機３へ送信される。
【００２１】
呼出信号及び映像データを受信した親機３は、呼出音を鳴動させると共にディスプレイ３２に映像を表示する。更に、第１保存部３３に録画を開始する。
こうして、呼び出しを認識した看護師により親機３が応答操作されると、看護師は患者映像を見ながら患者と通話が可能となる。その後、通話が終了したら看護用カメラ６の撮像は停止して録画も終了する。
【００２２】
通話が終了すると制御機ＣＰＵ４４がそれを認識して、第１保存部３３に録画された映像データを入手して図示しない自身の記憶部に一時保存した後、システム内の全てのＰＣ親機３ｂ，３ｂ・・に送信を開始する。このとき制御機ＣＰＵ４４は、看護用カメラ６から映像を受信した親機３のＰＣ親機３ｂを含む全てのＰＣ親機３ｂ，３ｂ・・に対して映像データを送信する。
【００２３】
制御機４から映像データを受信したＰＣ親機３ｂは、その映像データを第２保存部３４に保存する。尚、映像データの保存にあたって、付属情報としてカメラＩＤやカメラに関連付けられたナースコール子機ＩＤ、患者ＩＤ等の情報が合わせて保存される。
一方、第２保存部３４への保存が完了した時点で、制御機ＣＰＵ４４は第１保存部３３に保存された映像を消去する。こうして第２保存部３４に保存された映像は、ＰＣ親機３ｂの操作によりディスプレイ３５に表示させて確認することができる。
【００２４】
こうして、看護用カメラ６から送信される映像は１台の親機３に限定されるが、制御機４により映像は全ての親機３，３・・に拡散されて保存されるため、何れかの親機３に看護用カメラ６から送信された映像を任意の親機３において確認することができる。しかも、他の親機３にアクセスして表示させる必要が無いため、簡易な操作で映像の確認が可能となる。よって、録画映像の確認をする際、看護用カメラ６が撮像映像を送信した先の親機３まで赴く必要がなくなり、看護師の負担を軽減できる。
また、看護用カメラ６が起動中の間は、映像を受信している親機３の第１保存部３３のみに映像が保存されるので、例えば映像を見ながら看護師が患者と通話している間は伝送路のトラフィックが混雑して通話が不安定になるような事態を防止できる。
更に、親機３の第１保存部３３は、映像の拡散保存後に消去されるので、保存容量が小さくてもオーバーフローする事態を防止できる。
また、パーソナルコンピュータに映像が保存されるので、通話機能を備えた卓上親機３ａの構成を従来の卓上親機の構成から大きく変更する必要が無く、低コストで実現できるし、パーソナルコンピュータである第２親機３ｂを直接操作して保存映像の確認ができるので、スムーズに見ることができる。
【００２５】
次に、スタッフコールボタン１２が操作された場合を説明する。患者を処置している看護師が、応援の要請等する場合にはスタッフコールボタン１２が操作される。
スタッフコールボタン１２が押下されると、呼出握りボタン１ａの操作と同様に呼出信号が廊下灯を介して制御機４に送信され、制御機４は子機１に関連付けられている親機３に呼出信号を送信する。同時に、呼出信号に含まれる子機ＩＤ情報を基に、子機１に関連付けられている看護用カメラ６を特定して起動し、撮像映像を入手する。こうして入手した映像データは、呼出先の親機３へ送信される。
【００２６】
呼出信号及び映像データを受信した親機３は、呼出音を鳴動させると共にディスプレイ３２に映像を表示し、更に第１保存部３３への録画を開始する。この呼び出しを受けて看護師が応答操作すると、患者映像を見ながら通話することができる。その後、通話が終了したら看護用カメラ６の撮像は停止して録画も終了する。
【００２７】
その後、通話の終了を認識した制御機ＣＰＵ４４は、第１保存部３３に録画された映像を入手して図示しない記憶部に一時保存した後、サーバ５に送信して映像保存部５１に保存制御する。尚、映像データの保存にあたって、付属情報としてカメラＩＤやカメラに関連付けられたナースコール子機ＩＤ、患者ＩＤ等の情報が合わせて保存される。
【００２８】
そして、映像データのサーバ５への転送が完了した時点で、制御機ＣＰＵ４４は第１保存部３３に保存された映像を消去する。こうしてサーバ５に保存された映像は、任意のＰＣ親機３ｂの操作によりディスプレイ３５に表示させて確認することができる。
【００２９】
このように、重要度の高いスタッフコールボタン１２の操作による映像はサーバ５に保存されるため、間違って消去されるような状況が発生し難いし、サーバ５に対しては上述したように消去不可に設定しても良く、重要な映像が消去されてしまう問題を無くすことができ映像の管理がし易い。
【００３０】
尚、上記実施形態は、通話の終了をトリガーとして、制御機ＣＰＵ４４が録画映像の拡散保存制御を実施したが、通話終了に合わせず所定のタイミングで実施しても良い。例えば、一定時間毎に実施しても良いし、第１保存部３３に一定量の映像が蓄積された段階で実施しても良い。
また、呼出握りボタン１ａの操作とスタッフコールボタン１２の操作とで、映像の保存先を変えたが、双方とも保存先を同一にしても良い。この場合、全ての映像をＰＣ親機３ｂとサーバ５の双方に保存しても良いし、ＰＣ親機３ｂのみ保存してサーバ５への保存を実施しなくとも良い。
更に、看護師が親機３を操作して看護用カメラ６を起動し、ディスプレイ３２に撮像映像を表示させた場合も、呼出握りボタン１ａを操作した場合と同様の制御を実施でき、最終的に全てのＰＣ親機３ｂ，３ｂ・・に映像が保存される。
【符号の説明】
【００３１】
１・・ナースコール子機、１ａ・・呼出握りボタン（ナースコールボタン）、１ｂ・・プレート子機、２・・廊下灯、３・・ナースコール親機、３ａ・・卓上親機（第１親機）、３ｂ・・ＰＣ親機（第２親機）、４・・制御機、５・・ナースコールサーバ、６・・看護用カメラ、１２・・スタッフコールボタン、３２・・ディスプレイ、３３・・第１保存部（映像保存部）、３４・・第２保存部（映像保存部）、３５・・ディスプレイ、４４・・制御機ＣＰＵ（映像保存制御部）、５１・・映像保存部。
【図１】
2015070384.tif 000003
【図２】
2015070384.tif 000004